(57)【要約】【課題】通信端末の無線インタフェース部から出力される無線信号の測定について、所定の通信方式により基地局との間で遣り取りされる通信の特定のメッセージの送受信と、特定のシステムタイミングという条件に同期したタイミングとを関連付けたトリガ信号を出力するトリガ発生装置を提供する。【解決手段】通信端末の間で遣り取りされる通信シーケンスに含まれるメッセージを解析し、トリガを出力するメッセージ条件に一致するメッセージの検出するとともに、通信端末との間で通信を行なうために確立されたタイミングに基づき、トリガを出力するタイミング条件に一致するシステムタイミングを選択し、メッセージ条件に一致するメッセージの検出した後の、タイミング条件に対応するシステムタイミングに同期したタイミングでトリガ信号を出力する。【選択図】図１
2008252341.tif 000002
【特許請求の範囲】
【請求項１】
通信端末との間で所定の通信方式のタイミングフォーマットに基づいた同期を確立し、当該通信方式の通信プロトコルを用いて前記通信端末と通信を行うと共に、該通信に係る通信シーケンスと前記タイミングフォーマットに基づく基準タイミング信号とを出力する送受信部（２）と、
前記通信プロトコルに係る複数のメッセージから予め定めたメッセージをメッセージ条件とし、前記タイミングフォーマットから予め定めたシステムタイミングをタイミング条件としてそれぞれ保持する条件設定部（５）と、
前記送受信部（２）から出力された前記通信シーケンスを受け、該通信シーケンスに含まれるメッセージを解析し、前記条件設定部（５）に保持された前記メッセージ条件と一致するメッセージを検出したときにメッセージ一致通知を出力するメッセージ条件判定部（３）と、
前記送受信部（２）から出力された前記基準タイミング信号を受け、該基準タイミング信号にもとづいて、前記条件設定部（５）に保持された前記タイミング条件に対応するシステムタイミングを選択し、当該タイミング条件に対応するシステムタイミングに同期したタイミングでタイミング一致通知を出力するタイミング条件判定部（４）と、
前記メッセージ条件判定部（３）からの前記メッセージ一致通知を受けた後に、前記タイミング条件判定部（４）から受ける最初の前記タイミング一致通知に同期してトリガ信号を出力するトリガ信号生成部とを備えることを特徴とするトリガ発生装置。
【請求項２】
前記送受信部（２）は、前記通信端末との間で同期が確立される前であっても前記基準タイミング信号を出力することを特徴とする請求項１に記載のトリガ発生装置。
【発明の詳細な説明】
【技術分野】
【０００１】
本発明は、通信端末（例えば、携帯電話、モバイル端末等の移動体通信端末）の無線（ＲＦ）インタフェース部から出力される信号の波形品質や電力値の測定評価に際し、基地局との間で遣り取りされる通信プロトコルに係る特定のメッセージや、特定のタイミングで信号波形品質や電力値を測定評価するためのトリガ信号を出力するため技術に関する。
【背景技術】
【０００２】
基地局との間で無線信号により通信を行う通信端末の開発において、開発段階の通信端末が所定の通信規格（例えば、ＴＤ−ＳＣＤＭＡ（Ｔｉｍｅ  Ｄｉｖｉｓｉｏｎ  Ｓｙｎｃｈｒｏｎｏｕｓ  Ｃｏｄｅ  Ｄｉｖｉｓｉｏｎ  Ｍｕｌｔｉｐｌｅ  Ａｃｃｅｓｓ）やＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ））で定められた通信プロトコルに従って基地局装置と通信が可能かどうかの試験だけではなく、開発段階の通信端末から出力される信号の品質も試験する必要がある。
【０００３】
通信端末から出力される信号の品質の試験としては、基地局との間で遣り取りされる通信プロトコルに係るメッセージを解析し、期待するメッセージ内容との比較により判定を行ったり、送受信されるデータに誤りがないかをチェックするために付加されたＣＲＣ（Ｃｙｃｌｉｃ  Ｒｅｄｕｎｄａｎｃｙ  Ｃｈｅｃｋ：巡回冗長検査）ビットによるＣＲＣエラー等による測定を行なったりしている。
【０００４】
また、通信端末の無線インタフェース部から出力される無線信号については、パワーメータやスペクトラムアナライザを用いて出力電力値や出力ＲＦスペクトラム、信号波形品質等の測定を行っている。
【０００５】
ここで、通信端末の無線インタフェース部から出力される無線信号の測定については、基地局との間で遣り取りされる通信プロトコルに係る特定のメッセージの送受信時や、特定のシステムタイミングといった特定の条件にあったタイミングでの信号波形品質や電力値等を測定したいという要望がある。
【０００６】
このとき、論理的な条件の組み合わせによりトリガ信号を出力する回路として、下記特許文献１がある。特許文献１では、異なる電気的現象を監視し、所定のトリガ条件を検出する複数のトリガ検出回路をもち、あるトリガ検出回路の出力が所定時間の間、他のトリガ回路の検出動作を制御する技術が開示されている。
【特許文献１】特開平６−２０１７３０号公報
【発明の開示】
【発明が解決しようとする課題】
【０００７】
しかしながら、このような従来のトリガ発生装置では、制御するトリガ検出回路も電気的な物理量（例えば、入力レベル）が比較基準値を越えた場合を監視するのみであった。
【０００８】
例えば、通信端末と基地局との通信規格の一つであるＴＤ−ＳＣＤＭＡでは、図２に示すような階層的に構築されたタイミングフォーマット（Ｆｒａｍｅ、Ｓｕｂｆｒａｍｅ、Ｔｉｍｅｓｌｏｔ、Ｄａｔａ  ｓｙｍｂｏｌｓなどの各ブロックの時間的位置関係）で通信が行われるが、通信端末の無線インタフェース部から出力される無線信号の電気的な物理量（例えば電力値や周波数など）を監視してもタイミングフォーマットで定められるの各システムタイミング（Ｆｒａｍｅ開始タイミング、Ｓｕｂｆｒａｍｅ開始タイミング、Ｔｉｍｅｓｌｏｔ開始タイミングなどのそれぞれのブロックの開始タイミングを示す）の位置を検出することは出来ない。また、通信プロトコルに係るメッセージに関しても通信端末の無線インタフェース部から出力される無線信号の電気的な物理量を監視しても対応する部分を特定することは出来ない。
【０００９】
同様に、図６に示すような従来より行なわれている基地局と通信状態にある通信端末の無線インタフェース部から出力される無線信号の電気的な物理量の測定を外部接続した測定器により測定する場合においても、特定のメッセージを送受信したときの特定のシステムタイミングに同期した測定を行なうことは非常に困難である。
【００１０】
例えば、通信端末と基地局の間で通信プロトコルに係るメッセージとしてパワー制御メッセージが送受された後の、最初の特定のシステムタイミング（例えば、Ｓｕｂｆｒａｍｅ＃２の開始タイミング）に同期して通信端末の無線インタフェース部から出力される無線信号の電力値を接続されたパワーメータにより測定することは困難である。
【００１１】
本発明は、上記の問題を解決し、通信端末の無線インタフェース部から出力される無線信号の測定について、基地局との間の通信の通信プロトコルで遣り取りされる特定のメッセージの送受信と、特定のシステムタイミングという条件に同期したタイミングとを関連付けたトリガ信号を出力するトリガ発生装置を提供することを目的とする。
【課題を解決するための手段】
【００１２】
前記目的を達成するために、本発明のトリガ発生装置は、通信端末との間で所定の通信方式のタイミングフォーマットに基づいた同期を確立し、当該通信方式の通信プロトコルを用いて前記通信端末と通信を行うと共に、該通信に係る通信シーケンスと前記タイミングフォーマットに基づく基準タイミング信号とを出力する送受信部２と、
前記通信プロトコルに係る複数のメッセージから予め定めたメッセージをメッセージ条件とし、前記タイミングフォーマットから予め定めたシステムタイミングをタイミング条件としてそれぞれ保持する条件設定部５と、
前記送受信部２から出力された前記通信シーケンスを受け、該通信シーケンスに含まれるメッセージを解析し、前記条件設定部５に保持された前記メッセージ条件と一致するメッセージを検出したときにメッセージ一致通知を出力するメッセージ条件判定部３と、
前記送受信部２から出力された前記基準タイミング信号を受け、該基準タイミング信号にもとづいて、前記条件設定部５に保持された前記タイミング条件に対応するシステムタイミングを選択し、当該タイミング条件に対応するシステムタイミングに同期したタイミングでタイミング一致通知を出力するタイミング条件判定部４と、
前記メッセージ条件判定部３からの前記メッセージ一致通知を受けた後に、前記タイミング条件判定部４から受ける最初の前記タイミング一致通知に同期してトリガ信号を出力するトリガ信号生成部とを備えることを特徴とする。
【００１３】
請求項２に記載されたトリガ発生装置は、請求項１に記載のトリガ発生装置において、前記送受信部２は、前記通信端末との間で同期が確立される前であっても前記基準タイミング信号を出力することを特徴とする。
【発明の効果】
【００１４】
本発明に係るトリガ発生装置は、通信端末の無線インタフェース部から出力される無線信号の測定について、基地局との間の通信の通信プロトコルで遣り取りされる特定のメッセージの送受信した後の、最初の特定のシステムタイミングという条件に同期したタイミングでトリガ信号を出力することができる。
【００１５】
したがって、本発明に係るトリガ発生装置の出力するトリガ信号をスペクトラムアナライザやパワーメータ等の測定器に接続することにより、基地局との間の通信の通信プロトコルで遣り取りされる特定のメッセージの送受信に関連付けた特定のシステムタイミングに同期したタイミングで通信端末の無線インタフェース部から出力される無線信号の信号波形品質や電力値の測定を容易に行うことができる。
【発明を実施するための最良の形態】
【００１６】
以下、本発明の実施の形態について、図面を参照して説明する。図１は本発明に係るトリガ発生装置の全体構成とその使用形態を示すブロック図である。
【００１７】
図１に示すように、トリガ発生装置１は、送受信部２、メッセージ条件判定部３、タイミング条件判定部４、条件設定部５、指示部６、トリガ信号生成部７を備えて概略構成される。以下各構成について説明する。
【００１８】
送受信部２は、所定の通信規格の通信プロトコルに基づいて通信端末２０と無線信号を用いて通信を行い、通信端末２０との間で遣り取りされる通信シーケンスをメッセージ条件判定部３へ出力する。また、所定の通信規格で定められたタイミングフォーマットに基づき、通信端末２０と間で同期したシステムタイミング（Ｆｒａｍｅ開始タイミング、Ｓｕｂｆｒａｍｅ開始タイミング、Ｔｉｍｅｓｌｏｔ開始タイミングなどタイミングフォーマットに定められたタイミング）で信号を送受するために、各システムタイミングを特定するための基準となる基準タイミング信号をタイミング条件判定部４に出力する。
【００１９】
さらに送受信部２は、同期捕捉部２ａを備えている。同期捕捉部２ａは、通信端末２０と信号を送受するためのシステムタイミングの同期を確立するために同期捕捉動作を行う。同期捕捉部２ａは、システムタイミングを特定するための基準となる基準タイミング信号を生成し、この基準タイミング信号の位相を同期捕捉動作により調整し、通信端末２０とのシステムタイミングの同期を確立する。通信端末２０と送受信部２は、同期捕捉部２ａの同期捕捉動作により同期が確立されたシステムタイミングに基づいて通信を行なう。
【００２０】
なお、同期捕捉部２ａは前述の構成のため同期捕捉動作が完了した後に基準タイミング信号を生成するだけでなく、同期捕捉（同期確立途中）段階であっても基準タイミング信号を生成することもできる。
【００２１】
ここで、通信端末２０との通信内容としては、送受信部２による所定の通信規格に基づいて通信端末２０側の操作に応じた通信内容でも良いし、通信端末２０との通信シーケンスをあらかじめ記述したシナリオ（例えば通信端末２０の試験など）に基づき送受信部２を制御することにより通信端末２０と通信を行なっても良い。
【００２２】
シナリオに基づいて通信を行なう場合、トリガ信号発生装置１に加えて、シナリオを記憶するシナリオ記憶部１１と、シナリオ記憶部１１に記憶されたシナリオを実行するシナリオ実行部１０とを設け、シナリオ実行部１０と送受信部２とを接続してシナリオに基づいて通信を行なう。また、シナリオ実行部１０から後述の条件設定部５に対して条件（メッセージ条件、タイミング条件）を設定する構成としても良い。この様な構成とすることでシナリオの進行に合わせて条件の設定を変更することもできる。
【００２３】
メッセージ条件判定部３は、メッセージ解析部３ａを備えて構成され、送受信部２より入力される通信シーケンスを順次解析し、後述する条件設定部５に設定された条件（メッセージ条件）に一致するメッセージを検出したとき、トリガ信号生成部７へメッセージ一致通知を出力する。
【００２４】
メッセージ解析部３ａは、通信シーケンスに含まれる通信プロトコルに係るメッセージを解析する。なお、メッセージ条件判定部３は、通信プロトコル毎に複数のメッセージ解析部３ａを備え、使用する通信プロトコルに応じてメッセージ解析部３ａを切り替えて使用する構成としても良い。
【００２５】
タイミング条件判定部４はシステムタイミングテーブル４ａを備えて構成され、送受信部２より入力される基準タイミング信号に基づき、条件設定部５に設定された条件（タイミング条件）に一致するシステムタイミングをシステムタイミングテーブル４ａを参照して求め、タイミング条件に一致するシステムタイミングに同期したタイミングでトリガ信号生成部７へタイミング一致通知を出力する。
【００２６】
システムタイミングテーブル４ａは、通信規格に係るタイミングフォーマットで定められるシステムタイミングを基準タイミング信号からの時間関係のテーブルとして備えている。
【００２７】
なお、タイミング条件判定部４は、通信規格毎に複数のシステムタイミングテーブル４ａを備え、使用する通信規格に応じてシステムタイミングテーブル４ａを切り替えて使用する構成としてもよい。
【００２８】
ここで、図２に示すＴＤ−ＳＣＤＭＡのタイミングフォーマットで定められるシステムタイミングについて、各システムタイミングを基準タイミング信号からの遅延時間で定義したシステムタイミングテーブル４ａを図３に示す。
【００２９】
例えば、Ｓｕｂｆｒａｍｅ  ＃１  Ｔｉｍｅｓｌｏｔ  ＃３  Ｍｉｄａｍｂｌｅの開始タイミングをタイミング条件とし、タイミング一致通知として出力する場合、基準タイミング信号の入力より２５７５マイクロ秒後にタイミング一致通知を出力することになる。なお、図３に示すシステムタイミングはＴＤ−ＳＣＤＭＡにおける全システムタイミングではなく一例である。
【００３０】
また、図３では基準タイミング信号からの遅延時間でそれぞれのシステムタイミングを規定しているが、トリガ発生装置１で使用するクロック信号のクロック数により規定してもよい。
【００３１】
トリガ信号生成部７は、トリガ条件判定部７ａと出力部７ｂとを備えて構成される。トリガ条件判定部７ａは、メッセージ条件判定部３からメッセージ一致通知を受けた後の、タイミング条件判定部４からの最初のタイミング一致通知をトリガ信号を生成する条件が揃ったと判定し、タイミング条件判定部４からのタイミング一致通知に同期したタイミングでメッセージタイミング一致通知を出力部７ｂに出力する。出力部７ｂでは、トリガ条件判定部７ａからのメッセージタイミング一致通知を受け、後述する条件設定部５に設定された形式（トリガ出力形式）の信号を生成する。トリガ信号生成部７から出力部７ｂで生成した信号を出力する。
【００３２】
条件設定部５は、メッセージ条件テーブル５ａ、タイミング条件テーブル５ｂを備えて構成され、指示部６が備える表示手段６ａへトリガ信号を出力する条件設定項目を表示させ操作者に示すために提供するとともに、操作者が指示部６が備える入力手段６ｂにより選択設定したトリガ信号出力の条件を、メッセージ条件判定部３、タイミング条件判定部４およびトリガ信号生成部７のそれぞれに設定する。
【００３３】
条件設定部５が、指示部６へ提供する条件設定項目としては、メッセージ条件、タイミング条件、トリガ出力形式である。
設定されたメッセージ条件と設定されたタイミング条件との両者が満たされるとき設定されたトリガ出力形式でトリガ信号が出力される。
【００３４】
図４に条件設定部５より指示部６へ提供され、指示部６の表示手段６ａに表示されるトリガ条件設定画面の一例を示す。
【００３５】
メッセージ条件の設定では、通信プロトコルに係るベアラ制御メッセージやパワー制御メッセージなど複数のメッセージから、どのメッセージを検出した場合にトリガ信号を出力するかを選択する。メッセージの選択は一つに限るものではなく、複数のメッセージを選択し、そのＡＮＤ条件やＯＲ条件を選択可能としてもよい。
【００３６】
タイミング条件の設定では、通信方式で定められるシステムタイミングの中から、どのタイミングに同期したトリガ信号を出力するかを選択する。
【００３７】
トリガ出力形式の設定では、メッセージ条件とタイミング条件が満たされた場合にトリガ信号を毎回出力するか、もしくは一度だけ出力するかの選択。トリガ信号をパルスで出力するか、レベルで出力するかの選択。トリガ信号の出力レベルの選択などを行なう。
【００３８】
なお、トリガ信号を出力するための条件設定は、出力条件を前述したシナリオに記述し、シナリオの実行によりシナリオ実行部１０から条件設定部５に設定する構成としてもよい。
【００３９】
指示部６は、モニタ等の表示手段６ａとマウスやキーボードのなどの入力手段６ｂで構成され、条件設定部５より提供される条件設定項目を表示手段６ａに表示し、入力手段６ｂにより前述したトリガ出力条件を選択設定する。
【００４０】
次に、以上のように構成されたトリガ発生装置において、その動作を説明する（図１〜４参照）。
【００４１】
本説明では、指示部６を用いて操作者がトリガ信号の出力条件を設定したのち通信端末との通信を開始しトリガ信号を出力する例を示すが、前述したようにトリガ出力条件の設定はシナリオによって行なっても良いし、また通信開始した後に指示部６からトリガ出力条件の設定を行なってもよい。
【００４２】
条件設定部５が備えるメッセージ条件テーブル５ａとタイミング条件テーブル５ｂとから条件設定項目が、指示部６の表示手段６ａに表示される（図４）。操作者はマウスなどの入力手段６ｂによりトリガ信号の出力条件を設定する。
【００４３】
図４は選択後の状態を示しており、図４の例ではパワー制御メッセージを検出する毎に、次のＳｕｂｆｒａｍｅ＃２の開始タイミングに同期したＴＴＬレベルのパルス信号をトリガ信号として出力するよう設定している。
【００４４】
操作者によるトリガ信号の出力条件設定を受け、条件設定部５では、メッセージ条件判定部３、タイミング条件判定部４、トリガ信号生成部７のそれぞれにトリガ信号出力の条件を設定する。
【００４５】
メッセージ条件判定部３に対しては、通信シーケンスに含まれるメッセージを解析しパワー制御メッセージを検出したときに、メッセージ一致通知をトリガ信号生成部７へ出力するよう設定する。
【００４６】
タイミング条件判定部４に対しては、Ｓｕｂｆｒａｍｅ＃２の開始タイミングに同期したタイミングで、タイミング一致通知をトリガ信号生成部７へ出力するよう設定する。
【００４７】
トリガ信号生成部７に対しては、メッセージ条件判定部３からのメッセージ一致通知を受けた後の、タイミング条件判定部４からの最初のタイミング一致通知でＴＴＬレベルのパルス信号を出力するよう設定する。
【００４８】
続いて通信端末２０と送受信部２との間の通信を開始する。送受信部２の備える同期捕捉部２ａは通信端末２０との間で通信を行なうために同期捕捉動作を行い、同期捕捉動作により同期を確立したシステムタイミングで通信端末２０と通信を行なうとともに、システムタイミングの基準となる基準タイミング信号を生成し、送受信部２よりタイミング条件判定部４へ出力する。また、通信端末２０と遣り取りされる通信シーケンスをメッセージ条件判定部３へ出力する。
【００４９】
メッセージ条件判定部３では、送受信部２より通信端末２０との間の通信シーケンスが入力されるとメッセージ解析部３ａにより通信シーケンスに含まれるメッセージを順次解析する。メッセージ解析部３ａによる解析の結果、条件設定部５より設定されたメッセージ条件であるパワー制御メッセージを検出したときは、メッセージ条件判定部３からトリガ信号生成部７へメッセージ一致通知を出力する。
【００５０】
タイミング条件判定部４では、送受信部２より基準タイミング信号が入力されるとシステムタイミングテーブル４ａ（図３）を参照し、条件設定部５より設定されたタイミング条件がＳｕｂｆｒａｍｅ＃２の開始タイミングなので、基準タイミング信号の入力より５ｍｓｅｃ後にトリガ信号生成部７へタイミング一致通知を出力する。
【００５１】
トリガ信号生成部７の備えるトリガ条件判定部７ａでは、メッセージ条件判定部３からメッセージ一致通知を受けた後の、タイミング条件判定部４からの最初のタイミング一致通知で、メッセージ一致通知とタイミング一致通知とを受けたことを出力部７ｂに出力（メッセージ・タイミング一致通知）する。さらに出力部７ｂでは、トリガ条件判定部７ａからのメッセージ・タイミング一致通知を受けＴＴＬレベルのパルス信号を生成し、トリガ信号生成部７からトリガ信号として出力する。
【００５２】
外部接続されたパワーメータ３０では、トリガ信号生成部７より出力されるトリガ信号により、パワー制御メッセージを受信後のＳｕｂｆｒａｍｅ＃２の開始タイミングに同期して、通信端末２０が出力する無線信号電力値を測定する。これによりパワー制御メッセージを受信した通信端末２０が定められたタイミングで送信出力制御を行なっているかを検証することができる。
【００５３】
上述した動作例におけるトリガ信号出力のイメージを図５に示す。（ｉ）送受信部２が出力する基準タイミング信号をタイミング条件判定部４で受ける。（ｉｉ）タイミング条件判定部では、設定されたタイミング条件がＳｕｂｆｒａｍｅ＃２の開始タイミングなので、基準タイミング信号の５ｍｓｅｃ後にタイミング一致通知をトリガ信号生成部７へ出力する。
【００５４】
（ｉｉｉ）メッセージ条件判定部３では、通信シーケンスを解析し、設定されたメッセージ条件であるパワー制御メッセージを検出するとメッセージ一致通知をトリガ信号生成部７へ出力する。（ｉｖ）トリガ信号生成部７では、メッセージ条件判定部３から出力されるメッセージ一致通知とタイミング条件判定部４から出力されるタイミング一致通知とを受け、メッセージ一致通知の後の、最初のタイミング一致通知に同期したタイミングでトリガ信号が生成される。トリガ信号生成部７で生成されたトリガ信号が、トリガ発生装置１から出力される。  
【００５５】
なお、トリガ信号生成部７内での処理遅延時間や、外部測定器３０のトリガ入力から測定までの遅延時間など、一定量で予め明らかな場合は、システムタイミングテーブル４ａにタイミング補正値（例えば、−５マイクロ秒など）を記憶させ、システムタイミングテーブル４ａに設定された開始タイミングの時間を減じて（又は加えて）トリガ信号のタイミングを補正して出力するようにしても良い。
【図面の簡単な説明】
【００５６】
【図１】本発明に係るトリガ発生装置の全体構成とその使用形態を示すブロック図
【図２】ＴＤ−ＳＣＤＭＡにおけるタイミングフォーマットの概略示す図
【図３】本発明に係るトリガ発生装置におけるシステムタイミングテーブルの一例
【図４】本発明に係るトリガ発生装置におけるトリガ条件設定画面の一例
【図５】本発明に係るトリガ発生装置におけるトリガ信号出力のイメージ
【図６】従来における通信端末が出力する無線信号の電気的な物理量測定時の接続例
【符号の説明】
【００５７】
１  トリガ発生装置
２  送受信部
２ａ  同期捕捉部
３  メッセージ条件判定部
３ａ  メッセージ解析部
４  タイミング条件判定部
４ａ  システムタイミングテーブル
５  条件設定部
５ａ  メッセージ条件テーブル
５ｂ  タイミング条件テーブル
６  指示部
６ａ  表示手段
６ｂ  入力手段
７  トリガ信号生成部
７ａ  トリガ条件判定部
７ｂ  出力部
１０  シナリオ記憶部
１１  シナリオ制御部
２０  通信端末
３０  外部測定器
１００  トリガ発生装置を有する擬似基地局装置
１０１  従来の擬似基地局装置
【図１】
2008252341.tif 000003
【図２】
2008252341.tif 000004
【図３】
2008252341.tif 000005
【図４】
2008252341.tif 000006
【図５】
2008252341.tif 000007
【図６】
2008252341.tif 000008